(57)【要約】【課題】ブラインドフレーム（５）に保持された開閉しようとする窓障子又はドア障子を有する障子装置、特に折畳み設備の障子装置であって、開放側に錠止装置を有し、障子が少なくとも１つの閂部材（４）と該閂部材（４）のための操作部材とを保持する障子枠（１）を有し、閂部材（４）が障子を錠止するためにブラインドフレーム（５）又は隣りの障子の障子枠に係合する形式のものを改良して、風負荷を受けた場合にも良好なシール閉鎖が簡単な形式で保証されるようにすること。【解決手段】閂部材（４）が障子枠（１）の開放側に向かって開いたプロフィール（１１）に任意の個所で挿入され、押し棒（９）により対応位置にもたらされた連行体（１８）を介し操作可能であること。【選択図】　　　図１
2004036381.tif 000002
【特許請求の範囲】
【請求項１】
ブラインドフレーム（５）に保持された、開閉される窓又はドア障子を有する障子装置、特に折畳み設備の障子装置であって、開放側（３）に錠止装置を有しており、障子が障子枠（１）を有し、該障子枠（１）が少なくとも１つの閂部材（４）と該閂部材（４）のための操作エレメントとを有し、前記閂部材（４）が障子を錠止するためにブラインドフレーム（５）に又は隣りの障子の障子枠に係合する形式のものにおいて、前記閂部材（４）が障子枠（１）の開放側に向かって開いたプロフィール（１１）に、任意の位置で挿入可能でかつ押し棒（９）にて対応する位置にもたらされた連行体（１８）を介し操作可能であることを特徴とする、ドア又は窓の障子装置。
【請求項２】
押し棒（９）が開放側（３）から接近可能に配置されている、請求項１記載のドア又は窓の障子装置。
【請求項３】
錠止するために押し棒（９）が別の閂部材に作用し、該閂部材が押し棒（９）の押し方向（９０）で障子枠（１）から走出可能である、請求項１又は２記載のドア又は窓の障子装置。
【請求項４】
閂部材（４）が回転支承部（１７）を中心として旋回可能な旋回錠止部材として構成されている、請求項１から３までのいずれか１項記載の障子装置。
【請求項５】
押し棒（９）が錠止のために閂部材（４）の係合エレメントと協働する錠止連行体（２８）を有している、請求項１から３までのいずれか１項記載の障子装置。
【請求項６】
錠止連行体（２８）が非錠止位置で閂部材（４）の係合エレメントから、押し棒（９）の長手方向（９０）へ、自由行程間隔（Ｆ）だけ間隔をおいて位置している、請求項５記載の障子装置。
【請求項７】
押し棒（９）が錠止解除連行体（３８）を有し、この錠止解除連行体（３８）が錠止解除のために閂部材（４）の係合エレメントと協働する、請求項１から６までのいずれか１項記載の障子装置。
【請求項８】
錠止連行体（２８）と錠止解除連行体（３８）とが互いに少なくとも自由行程（Ｆ）だけ間隔をおいて配置されている、請求項７記載の障子装置。
【請求項９】
錠止連行体（２８）と錠止解除連行体（３８）とが一体に結合されて構成されている、請求項５又は６又は８記載の障子装置。
【請求項１０】
旋回錠止部材として構成された閂部材の係合エレメントが旋回錠止部材（４）の回転支承部（１７）に対し偏心的に配置された係合ピン（１９）として構成されている、請求項４及び請求項５から９までのいずれか１項記載の障子装置。
【請求項１１】
連行体（１８）が押し棒（９）内に差込まれている、請求項１から１０までのいずれか１項記載の障子装置。
【請求項１２】
閂部材（４）が錠止のために、ブラインドフレーム（５）又は隣り合った障子の障子枠に取付けられた閉鎖部材（１３）に係合する、請求項１から１１までのいずれか１項記載の障子装置。
【請求項１３】
ブラインドフレーム（５）及び／又は隣り合った障子が前記閉鎖部材（１３）を受容するために少なくともほぼ一貫した成形溝（１４）を有している、請求項１２記載の障子装置。
【請求項１４】
開放しようとするドア又は窓障子がその開放側に閂部材（４）を受容するために、少なくともほぼ一貫した成形溝（１４）を有し、この成形溝（１１）の溝底（１１′）を押し棒（９）が延びている、請求項１から１３までのいずれか１項記載の障子装置。
【請求項１５】
閂部材（４）及び／又は閉鎖部材（１３）が閂部材（４）を係合させるに適した輪郭を有している、請求項１から１４までのいずれか１項記載の障子装置。
【請求項１６】
閂部材（４）が閂箱（１２）内に保持されている、請求項１から１５までのいずれか１項記載の障子装置。
【請求項１７】
障子枠（１）の、開放側（３）に向かって開いたプロフィール（１１）内に、閂部材（４）の外側にてカバーが挿入されている、請求項１から１６までのいずれか１項記載の障子装置。
【発明の詳細な説明】
【０００１】
【発明の属する技術分野】
本発明は、請求項１に上位概念として記載した、通常は循環するフレーム、いわゆるブラインドフレームに保持されかつ開閉しようとする窓又はドア障子の障子装置に関する。
【０００２】
【従来の技術】
特に前記形式の障子装置は、障子連鎖に結合され、上側と下側とにおいて案内レール内で案内された複数の障子を有する折畳み設備において有意義である。このような折畳み設備を閉じる場合には個々の障子は通常はいわゆるバスキュール錠を介し、操作グリップを回動させることで錠止される。この場合、操作グリップはたいてい変向伝動装置を介して２つの押し棒に作用する。これらの押し棒はそれぞれ上と下で１つの閂部材を窓又はドア枠から外側のブラインドフレームに走出させ、これにより障子を錠止する。折畳み設備においては障子連鎖内で隣り合う障子を互いに固定することは、障子を結合する蝶番を介して行なわれるので、風負荷を受けて湾曲した場合でも障子成形体が互いに相対運動することはなく、良好な密閉接続が保証された状態に保たれる。しかし、側方にて別の障子ともブラインドフレームとも結合されていない外側の障子の場合には事情が異なっている。この障子と側方のブラインドフレームとの間には障子が上方と下方でしか錠止されていないと、風負荷を受けた場合に障子がたわむ一方、ブラインドフレームは剛性の構造体に固定され、その形状を保つので、開放側にて相対運動する。この相対運動は１／２障子高さでもっとも大きくかつ障子高さが増大すると同じ風負荷で増長する。この結果、そこに設けられたシールが最早均等に接触できなくなりかつシール機能が損なわれる。これに対処するために障子は開放側にて少なくとも１つの閂部材でブラインドフレームに錠止される必要がある。
【０００３】
従来の窓障子では、たいてい押し棒にピンが取付けられ、これらのピンが閉鎖時にブラインドフレームの相当の対応受けの背後に係合する。しかし、通常望まれるフレーム幅が小さいため、前記ピンは大きく突出させることはできない。このわずかな突出量は折畳み設備においては、障子連鎖の正又は負の長さ変動に際して錠止を保証するには不十分である。したがって前記形式の補助錠止装置は通常、単障子窓又はドアの場合にしか使用されない。
【０００４】
したがって実地においては折畳み設備では、開放しようとする障子の開放側にて横方向の閂部材が上方と下方の閂部材のための変向伝動装置の錠箱に統合させられ、前記横方向の閂部材が直接グリップ旋回で作動されるようになっている。この場合の欠点は閂部材の配置が錠箱の領域で行なわれなければならず、その上、別の錠止点を開放側に設けることができないことである。しかし例えばきわめて高い障子の場合にはグリップ、ひいては錠箱も比較的に低いのに対し、開放側における錠止の位置は著しく高く、むしろ障子の中央に望まれる。
【０００５】
さらに家及び室内ドア障子装置であって、開放側にて、錠箱内に配置された主閂部材の他に別の錠止閂部材を有し、該錠止閂部材が共通のカバープレートを介し錠箱と結合されている形式のものが公知である。しかしこの補助錠止装置の数と間隔はカバープレートに固定されるために変化可能ではない。それぞれ固定された寸法を有する種々の構成態様は多数のヴァリエーションを避けることでしか達成されない。この結果、ストック費用は上昇することになる。
【０００６】
【発明が解決しようとする課題】
本発明の課題は風負荷に際しても良好なシール封鎖を簡単な形式で保証する錠止装置を有するドア又は窓障子装置を提供することである。
【０００７】
【課題を解決するための手段】
本発明の課題は請求項１の特徴によって解決された。
【０００８】
障子の開放側に向かって開いたプロフィールを障子枠に使用することで閂部材は前記プロフィールの任意の位置に挿入できるようになる。この場合には閂部材に対応する位置にて、閂部材を作動する連行体を押し棒に取付ける必要がある。これによって費用のかかるストック及び構成部材の変化態様なしで各種障子装置のために錠止装置を個々に、障子とブラインドフレームとの間に許容できない相対運動が風負荷によって発生するであろう所望の位置又は複数の位置に設けることができるようになる。単数又は複数の閂部材の位置はグリップ又は押し棒のための伝動装置の配置とは完全に無関係である。さらに任意の数の閂部材を使用することができる。さらに錠止装置をあとから簡単に取付けることもできる。何故ならば設けられた押し棒に連行体を取付け、開放側に向かって開いたプロフィールに閂部材を挿入するだけでよいからである。組立は、押し棒が有利な形式で開放側から接近可能に障子枠に配置されると特に簡単になる。
【０００９】
本発明による障子装置は上側及び／又は下側ですでに、押し棒の押し方向で障子枠から走出可能である単数又は複数の閂部材を用いて錠止が行なわれる窓又はドアの開放側における錠止装置に加えて使用されることもできる。この場合には上方及び／又は下方の閂部材を作動するためにいずれにしてしても存在する押し棒は本発明により障子枠の開放側に配置された閂部材を作動するために用いることができる。
【００１０】
本発明の別の利点と詳細は従属請求項と図面に示された本発明による実施例についての以下の説明とに開示されている。
【００１１】
【発明の実施の形態】
図１には部分的にしか示されていない二重ガラスを保持する障子枠１が示されている。障子は開放側３にて閂部材４によってブラインドフレーム５に錠止されている。弾性的なシール６、シールリップ及びブラシシール８は閉じられた状態での通気シールに役立つ。この場合、障子枠１とブラインドフレーム５は完全に循環して構成されていなければならないことはない。例えば障子枠１とブラインドフレーム５は開放側に延在しているだけで十分である。閂部材４の作動は押し棒９を介して行なわれる。この押し棒９は図平面に対し垂直にグリップ１０によって障子枠１の障子の開放側３に向かって開いたプロフィール１１に移動可能に配置されている。この場合、プロフィール１１は溝状に構成され、押し棒９は溝底１１′を延びている。閂部材４は同様に前記プロフィール１１にて押し棒９の前に配置されかつ閂箱１２内に保持されている。この配置は機械的に簡単でかつ安価に製作できかつ単数又は複数の閂部材の使用を、他が完全に組立てられた障子装置においても、必要であればあとからでも可能にする。
【００１２】
閉鎖状態で閂部材４は図示の如く、ブラインドフレーム５内に又は選択的に隣りの障子の障子枠に係合する。この場合、係合自体と錠止の維持は、ブラインドフレーム５（又は相当する障子枠）内に閂部材４が係合する閉鎖片１３が挿入されると改善される。閉鎖片１３は有利にはブラインドフレーム５又は隣り合った障子枠の一貫したプロフィール溝１４内に挿入される。これによって組立は著しく容易化される。閂部材４、閉鎖片１３又は両方のエレメントは閂部材４の係合を有利にする輪郭を有していることができる。図示の実施例ではこれは閂部材４の上側の面取り部１５（特に図１と図４ａ，４ｂを参照）並びに閉鎖片１３の下側の、滑り斜面１６′（図４ｃ）を有する拡大部によって行なわれる。図１と図２とに示されているように閉鎖片１３はプロフィール溝１４の幅がわずかであることに基づき、片側の構成で閂部材４の一方の側だけに向かって延びる。しかしながらもちろん両側構成も、場合によっては図４ｃに示されているように２個の部分片から成る構成も考えられる。
【００１３】
本発明による障子装置の錠止装置の正確な構成と該錠止装置の作用形式はより詳細に図３と図４とに示されている。この場合、図３においてはそれぞれ１つの閂部材位置と、縮小された寸法で、それに対応する操作グリップの位置とが示されている。図３ａには閂部材４は開かれた位置で、つまり錠止解除位置で示されている。この場合閂部材４は回転支承部１７を中心として旋回可能である旋回閂部材として構成されている。旋回閂部材としての構成は、閂部材４が開放位置でわずかな所要スペースしか必要とせず、ひいては障子枠１の幅が不要に拡大されないために有利である。完全には図示されていない押し棒９は一点鎖線で示されておりかつ連行体１８を有し、この連行体１８は錠止及び錠止解除のために、図示の実施例では閂部材４の、係合ピン１９として構成された係合エレメントに作用する。図示の連行体１８は錠止連行体２８と錠止解除連行体３８とを有している。錠止連行体２８と錠止解除連行体３８とは有利な形式で一体に結合されている。グリップ１０を矢印２０の方向に操作した場合、押し棒９は矢印９０の方向で下方へ動かされる。押し棒９に固定された連行体１８は図３ｂから３ｆまでに示したように前記運動に追従する。その際、所定の空行程（図３ｂと図３ｃ）の後で錠止連行体２８は図３ｄに示した位置で係合ピン１９に作用し始める。これにより係合ピンと閂部材４は回転支承部１７を中心として矢印７０の方向へ旋回させられ、閂部材４は図３ｆに示した錠止位置をとり、この位置で閂部材４は閉鎖片１３に係合させられる。この位置は図４においても斜視図で示してある。
【００１４】
錠止解除のためには図３ａから３ｆまでに示した運動は逆の順序（図３ｆから３ａ）で矢印２０，９０，７０の方向とは反対の方向で与えられる。この場合、錠止解除連行体３８は下側から閂部材４の係合ピン１９に係合し、閂部材が例えばクランプされ、その自重では図３ａの開放位置へ落下して戻ることができないとしても、閂部材４を戻し旋回させ、ひいては錠止解除させる。さらに適当な障子装置を１つの錠止連行体２８又は１つの錠止解除連行体３８だけで構成することもできる。例えば閂部材４が錠止位置にてばねによるプレロードがかけられ、錠止解除だけが錠止解除連行体で行なわれる必要があるようにすることもできる。反対のケースでは錠止解除位置にてプレロードをかけることも可能である。
【００１５】
図示の実施例では錠止連行体２８は完全に開放した位置（図３ａ）では、係合ピン１９から自由行程間隔Ｆだけ間隔をおいて位置している。この結果、押し棒９は閂部材４の位置を変化させる前に図３ａの位置からまず距離Ｆだけ移動させられることになる。これにより例えば押し棒９の下端に取付けられた垂直な閂部材が走出させられ、障子がブラインドフレームにて既に固定されるようになる。適当な閂部材が上側に配置されていることもできる。これにより、旋回閂部材４にまだ必要である力が減じられ、錠止装置及び通常設けられている変向伝動装置の摩耗が低減させられる。このような実施例は特に係合エレメントが偏心的に配置された係合ピン１９として構成されている場合に有利な形式で変更可能である。何故ならば係合ピン１９の必要な移動距離は閂部材４の先端４′の旋回移動距離に比較してきわめてわずかであることができるからである。したがって連行体１８が錠止連行体２８も錠止解除連行体３８も有している限り、錠止連行体２８と錠止解除連行体３８との間には少なくとも自由行程Ｆに相当する間隔をおくことが有利である。図示の実施例では錠止解除連行体３８からの錠止連行体２８の間隔は自由行程Ｆに、押し棒９の長手方向９０で測った係合ピンの太さを加えた値である。
【００１６】
組立に関して特に有利であるのは連行体１８が２つの付加部２１を介し押し棒９の図示されていない切欠きに単に差込まれている図示の実施例である。これにより、押し棒が既に存在している場合にあとからでも閉鎖装置の取付けを行なうことができる。何故ならば押し棒９に単数又は複数の適当な孔を設ける必要しかないからである。このような孔は現場で適当な個所に費用のかかる工具なしで、例えばＡｋｋｕ−手持ドリルを用いて形成することができる。押し棒９に差込まれた連行体１８はその前に配置された閂部材４のために、別の固定なしでも押し棒９から脱落することはない。閂部材４は単にその閂箱１２を介し障子プロフィールに固定（例えばねじ固定）されるだけでよい。
【００１７】
障子枠１の開放側へ開いた溝プロフィール１１が外観的に又はその他の理由から不都合である場合には、これは閂部材４の外側でもしくは閂箱１２の下側と上側で図示されていないカバーで閉鎖されることができる。このカバーは必要に応じて現場にて所定の長さに切断することができる。いずれにせよ、種々の閂部材位置のために設けられる、公知技術として記述したドア多重錠止装置にて必要であるような多数のカバー薄板のストックは不要である。
【００１８】
したがって本発明による障子装置は技術的に簡単な形式でそのつどの使用要求に適合させ、常に最適なシール性を保証することができる。さらに付加的な錠止装置として使用することによって改善された盗難防止が達成される。
【図面の簡単な説明】
【図１】錠止装置が閉じられた状態で本発明の障子装置の障子枠と側方のブラインドフレームとを断面して示した図。
【図２】障子と錠止装置とが開かれた状態で図１に示した対象を示した図。
【図３】図３の３ａから３ｆはそれぞれ対応するグリップ位置と共に錠止装置を、図１の矢印ＩＩＩの方向から見た図。
【図４】図４の４ａから４ｃまでは、錠止エレメントを斜視図で示した図。
【符号の説明】
１　障子枠、　２　二重ガラス、　３　開放側、　４　閂部材、　５　ブラインドフレーム、　６　シール、　７　シールクリップ、　８　ブラシシール、　９　押し棒、　１０　グリップ、　１１　プロフィール、　１２　閂箱、　１３閉鎖片、　１４　成形溝、　１５　面取り部、　１６　拡大部、　１７　回転支承部、　１８　連行体、　１９　係合ピン、　２８　錠止連行体、　３８　錠止解除連行体
【図１】
2004036381.tif 000003
【図２】
2004036381.tif 000004
【図３】
2004036381.tif 000005
【図４】
2004036381.tif 000006